(57)【要約】【課題】ケース入庫時の空気の流入出を抑制する。【解決手段】冷蔵庫は、庫内に入庫可能なケースの開口部を塞ぐ蓋部を当該庫内に備え、前記蓋部は、前記ケースの入庫にしたがって当該ケースとの距離が縮まり、当該ケースが前記庫内に収まった状態で当該ケースと接触する。【選択図】図３
2020201025.tif 000002
【特許請求の範囲】
【請求項１】
庫内に入庫可能なケースの開口部を塞ぐ蓋部を当該庫内に備え、
前記蓋部は、前記ケースの入庫にしたがって当該ケースとの距離が縮まり、当該ケースが前記庫内に収まった状態で当該ケースと接触する冷蔵庫。
【請求項２】
前記ケースが前記庫内に収まった状態で、前記蓋部と当該ケースの開口部とが互いに離れる方向に、当該蓋部と当該ケースとの少なくとも一方に力が作用していることを特徴とする請求項１に記載の冷蔵庫。
【請求項３】
前記ケースの入庫と連動して回転する回転部材と、
前記蓋部と前記回転部材とを接続し、当該回転部材の回転に応じて当該蓋部を動かすアームとを前記庫内にさらに備え、
前記蓋部は、前記アームが当該蓋部を動かすことによって前記距離が縮められ、前記ケースと接触することを特徴とする請求項１または２に記載の冷蔵庫。
【請求項４】
前記ケースは、当該ケースの入庫時に前記回転部材と当たる突起を有し、
前記回転部材は、前記突起と当たることによって回転することを特徴とする請求項３に記載の冷蔵庫。
【請求項５】
前記回転部材は、前記アームと噛み合うギアであり、
前記アームは、前記ギアの回転に応じて前記蓋部を動かすことを特徴とする請求項３に記載の冷蔵庫。
【請求項６】
傾斜部を有するレールを前記庫内にさらに備え、
前記蓋部は、前記ケースが前記レールに沿って前記傾斜部を移動することによって前記距離が縮まり、当該ケースと接触することを特徴とする請求項１か５のいずれか一項に記載の冷蔵庫。
【請求項７】
前記蓋部と接続され、前記ケースの入庫と連動して回転する回転アームを前記庫内にさらに備え、
前記蓋部は、前記回転アームが回転することによって、当該蓋部と当該回転アームとのなす角が変化し、当該ケースと接触する面積が変化することを特徴とする請求項１から６のいずれか一項に記載の冷蔵庫。
【発明の詳細な説明】
【技術分野】
【０００１】
本開示は、冷蔵庫に関するものである。
【背景技術】
【０００２】
下記の特許文献１には、野菜ケースの上部に位置する棚にシール材を設けることで、ケースと棚の隙をシールし、冷気の流れを封鎖できる技術が開示されている。
【先行技術文献】
【特許文献】
【０００３】
【特許文献１】特開２０１２−２２０１４８号公報
【発明の概要】
【発明が解決しようとする課題】
【０００４】
上記従来の冷蔵庫では、例えば、ケース入庫時の側面での空気の流入出が封鎖できない。そこで、本開示の一態様は、例えば、ケース入庫時の空気の流入出を抑制可能な冷蔵庫を提供することを目的とする。
【課題を解決するための手段】
【０００５】
本開示の一態様に係る冷蔵庫は、例えば、庫内に入庫可能なケースの開口部を塞ぐ蓋部を当該庫内に備え、前記蓋部は、前記ケースの入庫にしたがって当該ケースとの距離が縮まり、当該ケースが前記庫内に収まった状態で当該ケースと接触する。
【図面の簡単な説明】
【０００６】
【図１】本開示の一態様に係る冷蔵庫の一例を示す概略図であり、（ａ）は、当該冷蔵庫の正面図であり、（ｂ）は、当該冷蔵庫の側面図である。
【図２】上記冷蔵庫の内部構造の一例を示す概略図であり、（ａ）は、当該内部構造を当該冷蔵庫の正面から示し、（ｂ）は、当該内部構造を当該冷蔵庫の側面から示す。
【図３】庫内の構成の一例を示す概略構成図であり、（ａ）は、ケースが出庫した状態を示し、（ｂ）は、ケースが入庫した状態を示す。
【図４】庫内の一側面の一例を示す概略斜視図である。
【図５】レバーおよびアームの要部の一例を拡大した概略斜視図であり、（ａ）は、ケースが入庫した状態を示し、（ｂ）は、ケースが出庫した状態を示す。
【図６】庫内におけるレバー、アーム、およびスライダーの動作の一例を示す概略構成図であり、（ａ）は、ケースを出庫させた状態を示し、（ｂ）は、ケースを入庫させた状態を示す。
【図７】庫内の構成の一例を示す概略斜視図であり、（ａ）は、ケースが出庫した状態を示し、（ｂ）は、ケースが入庫する途中の状態を示し、（ｃ）は、ケースが入庫した状態を示す。
【図８】庫内におけるケース、カバー、およびフレームの動作の一例を示す概略構成図であり、（ａ）は、ケースが出庫した状態を示し、（ｂ）は、ケースが入庫する途中の状態を示し、（ｃ）は、ケースが入庫した状態を示す。
【図９】本開示の一態様に係る冷蔵庫が備えたギアとアームとの関係を示す概略図であり、（ａ）は、第１のギア、第２のギア、および第１のアームの関係を示し、（ｂ）は、第３のギア、第４のギア、および第２のアームの関係を示す。
【図１０】フレームに含まれる各部材の要部の一例を拡大した概略斜視図であり、（ａ）は、ケースが出庫した状態を示し、（ｂ）は、ケースが入庫する途中の状態を示す。
【図１１】ケースおよびカバーの断面図であり、（ａ）は、ケースが出庫した状態を示し、（ｂ）は、ケースが入庫する途中の状態を示し、（ｃ）は、ケースが入庫した状態を示す。
【図１２】庫内の構成の一例を示す概略構成図であり、（ａ）は、ケースが出庫した状態を示し、（ｂ）は、ケースが入庫した状態を示す。
【図１３】庫内の構成の一例を示す断面図であり、（ａ）は、ケースが出庫した状態を示し、（ｂ）は、ケースが入庫した状態を示し、（ｃ）は、（ｂ）に示される断面とは異なる断面（ケースを上から俯瞰した断面）を示す。
【発明を実施するための形態】
【０００７】
〔実施形態１〕
図１〜図６に基づいて、本開示の第１の実施形態に係る冷蔵庫１０を説明する。
【０００８】
（冷蔵庫１０の構成）
図１は、冷蔵庫１０の一例を示す概略図である。図１の（ａ）は、冷蔵庫１０の正面図であり、図１の（ｂ）は、冷蔵庫１０の側面図である。図１の（ａ）に例示されるように、冷蔵庫１０は、冷蔵室２、製氷室３、第１冷凍室４、および第２冷凍室５を備えている。冷蔵室２は左開き、右開き、または両開きの扉を備え、貯蔵物を冷蔵保存する。製氷室３は、製氷室３の内部温度を氷点以下に維持して製氷する。第１冷凍室４および第２冷凍室５は、貯蔵物を冷凍保存する。なお、冷蔵庫１０の構成は、図１に例示される構成に限定されない。例えば、冷蔵室２の扉は観音開きの扉であってもよいし、冷凍室が３つ以上あってもよい。
【０００９】
図２は、冷蔵庫１０の内部構造の一例を示す概略図である。図２の（ａ）は、当該内部構造を冷蔵庫１０の正面から示し、図２の（ｂ）は、当該内部構造を冷蔵庫１０の側面から示す。図２の（ａ）および（ｂ）に例示されるように、冷蔵室２には野菜室６が設けられている。
【００１０】
そして、野菜室６には、ケース１１が野菜室６の内部（庫内）から出し入れ可能に設けられている。すなわち、ユーザはケース１１を庫内に押し込む（入庫する）ことで、ケース１１を庫内に収納でき、引き出す（出庫する）ことで取り出せる。なお、ケース１１が入出庫する方向は、任意に設計され得る。
【００１１】
また、冷蔵室２には、チルド室７も設けられている。そして、チルド室７にもその内部から出し入れ可能なケースが設けられている。当該ケースも、上記ケース１１と同様の機能（以下で説明する）を備え、同じ動作をしてよい。すなわち、冷蔵庫１０は、当該ケース１１が有する機能と同じ機能を、当該冷蔵庫１０の任意の場所に備えてよい。
【００１２】
（庫内の構成）
図３は、庫内の構成の一例を示す概略構成図である。図３の（ａ）は、ケース１１が出庫した状態を示し、図３の（ｂ）は、ケース１１が入庫した状態を示す。なお、以下の説明では、同一の部材が複数存在する可能性がある場合、符号に小文字のアルファベットがさらに付されることにより、各部材が区別される。
【００１３】
図３に例示されるように、冷蔵庫１０は、ケース１１、カバー１２、レール１３、レバー１４、およびアーム１５を備える。
【００１４】
ケース１１は、冷蔵庫１０から入出庫自在な容器である。ここで、図３の（ａ）および（ｂ）に例示されるように、奥側（ケース１１を入庫する奥側）に向かうほどケース１１の底面から開口部１７の縁までの幅が小さくなるように、当該縁が傾斜してよい。
【００１５】
また、ケース１１には開口部１７が設けられ、ケース１１が出庫された状態で当該ケース１１の内部を露出させる。なお、ケース１１に対する開口部１７の位置は任意に設計され得る。例えば、開口部１７は、ケース１１の上面に設けられてもよいし、前側（ケース１１を出庫する手前側）に設けられてもよいし、両方に設けられてもよい。
【００１６】
なお、ケース１１は、例えば、貯蔵物（例えば、野菜などの生鮮食品）を出し入れ可能とする開口部１７と、レール１３と接したままスライドすることによって当該ケース１１を入出庫可能とするスライダー１９とを有してよい。また、スライダー１９は、例えば、ケース１１の入庫時にレバー１４と当たる突起１８を有してよい。
【００１７】
カバー１２は、ケース１１の開口部１７を塞ぐ蓋である。カバー１２は、ケース１１の入庫にしたがって当該ケース１１との距離が縮まり、当該ケース１１が庫内に収まった状態で当該ケース１１と接触する。これにより、冷蔵庫１０は、ケース１１にカバー１２を被せる手間をユーザに負担させることなく、ケース１１の内部に空気が流入出することを抑制できる。このとき、カバー１２は、ケース１１の開口部１７の外周にわたって接触してよい。これにより、冷蔵庫１０は、カバー１２がケース１１を覆ったときの気密性を高めることができる。
【００１８】
逆に、ユーザがケース１１を出庫したとき、当該出庫に連動してカバー１２がケース１１から離れ、開口部１７がユーザに対して露出する。これにより、冷蔵庫１０は、ケース１１からカバー１２を外す手間をユーザに負担させることなく、貯蔵物を出し入れ容易とすることができる。
【００１９】
また、図３に例示されるように、開口部１７の縁が傾斜している場合、当該傾斜に対応して、カバー１２の縁も傾斜してよい。すなわち、ケース１１とカバー１２とが接触したとき、開口部１７の縁とカバー１２の縁との隙間を小さくするように、両者に傾斜が設けられてよい。この場合、冷蔵庫１０は、ケース１１の開口部１７にカバー１２をしっかりと接触させることができるため、ケース１１の内部に空気が流入出することをさらに抑制できる。
【００２０】
さらに、開口部１７の縁またはカバー１２の縁の少なくとも一方に、弾性のパッキンを設けてもよい。この場合、冷蔵庫１０は、ケース１１の開口部１７にカバー１２をよりしっかりと接触させることができるため、ケース１１の内部に空気が流入出することをさらに抑制できる。
【００２１】
レール１３は、ケース１１をスライド可能に支持する部材である。レール１３は、例えば、庫内の両側面に設けられてよい。ここで、図３は、一方の側面に設けられたレール１３ａのみを図示している。レール１３が庫内の両側面に設けられる場合、他方の側面にレール１３ｂが設けられてよい（図４を参照）。この場合、例えば、レール１３ａおよびレール１３ｂにそれぞれ対応するように、複数のスライダー１９（例えば、スライダー１９ａおよびスライダー１９ｂ）がケース１１の両側面にそれぞれ設けられてよい。さらに、レール１３は、片側面・両側面に複数設けられてもよい。これにより、冷蔵庫１０は、ケース１１の入出庫の安定性を向上させることができる。
【００２２】
レバー１４は、レール１３に回転自在に支持された状態で、ケース１１の入庫と連動して回転し、出庫と連動して逆回転する回転部材である。レバー１４は、例えば、レール１３に複数設けられてよい。図３は、一方の側面に設けられたレバー１４ａおよびレバー１４ｂのみを図示している。他方の側面にレール１３ｂが設けられる場合、当該レール１３ｂにも複数のレバー（例えば、レバー１４ｃおよびレバー１４ｄ）が設けられてよい（図４を参照）。なお、レバー１４の逆回転の力を強めるために、例えば、レバー１４が支持される軸にバネ（例えば、ねじりコイルばね）のような弾性体が設けられてよい。
【００２３】
１つのレール１３に複数のレバー１４が支持されている場合、例えば、当該複数のレバー１４にそれぞれ対応するように、複数の突起１８がスライダー１９に設けられてよい。このとき、複数の突起１８（図３においては、突起１８ａおよび突起１８ｂ）が、それぞれ対応するレバー１４（図３においては、レバー１４ａおよびレバー１４ｂ）に当たったり、離れたりする。ケース１１の他方の側面にスライダー１９ｂが設けられている場合、当該スライダー１９ｂにも複数の突起１８（例えば、突起１８ｃおよび突起１８ｄ）が設けられてよい。
【００２４】
アーム１５は、カバー１２とレバー１４とを接続し、当該レバー１４の回転に応じて当該カバー１２を動かす部材である。具体的には、アーム１５の一端とレバー１４とが嵌め合っており、他端とカバー１２の縁とが嵌め合っている。アーム１５はレバー１４の回転に応じて上下動するため、カバー１２も上下動する。
【００２５】
すなわち、ケース１１の入庫と連動してレバー１４が回転すると、当該回転に伴ってアーム１５が下がり、当該アーム１５に接続されたカバー１２も下がる。このように、カバー１２がアーム１５に引き下げられるため、当該カバー１２はケース１１の入庫にしたがって当該ケース１１との距離が縮まり、当該ケース１１が庫内に収まった状態で当該ケース１１と接触する。
【００２６】
逆に、ケース１１の出庫と連動してレバー１４が逆回転すると、当該逆回転に伴ってアーム１５が上がり、当該アーム１５に接続されたカバー１２も上がる。このように、カバー１２がアーム１５に押し上げられるため、当該カバー１２は、ケース１１の出庫にしたがって当該ケース１１との距離が伸びる。
【００２７】
これにより、冷蔵庫１０は、ケース１１の入出庫に連動してカバー１２を開閉させることができる。したがって、冷蔵庫１０は、ケース１１にカバー１２を取り外しする手間をユーザに負担させることなく、ケース１１の内部に空気が流入出することを抑制できる。
【００２８】
なお、１つのレール１３に複数のレバー１４が支持されている場合、当該複数のレバー１４にそれぞれ対応して複数のアーム１５が設けられてよい。そして、複数のアーム１５（図３においては、アーム１５ａおよびアーム１５ｂ）は、それぞれ対応するレバー１４の回転に応じて上下動する（図４を参照）。
【００２９】
また、冷蔵庫１０は、例えば、バネをさらに備えてよい。バネは、例えば、一端がカバー１２と接続され、他端が庫内の一部（例えば、上面）と接続された弾性体であってよい。すなわち、ケース１１が庫内に収まった状態で、カバー１２と当該ケース１１の開口部１７とが互いに離れる方向に、当該カバー１２と当該ケース１１との少なくとも一方に力（バネによる弾性力）が作用している。これにより、冷蔵庫１０は、ユーザがケース１１を引き出すときに、カバー１２がケース１１に接触する状態を素早く解除できる。したがって、冷蔵庫１０は、ケース１１の出庫時に、ユーザに引っかかりを感じさせることなく、円滑にケース１１を出庫させられる。
【００３０】
なお、上記で説明した各部材の形状は、図３に例示された形状に限定されない。すなわち、各部材が果たす機能を実現できさえすれば、それらの形状はどのような形状であってもよい。また、各部材の材質は、当該各部材の目的・機能に応じた最適なものが選択され得る。
【００３１】
図４は、庫内の一側面の一例を示す概略斜視図である。図４は、図３によって例示された庫内の一側面とは反対の側面を、斜め上から俯瞰した図に相当する。
【００３２】
前述したように、レール１３、レバー１４、およびアーム１５は、庫内（例えば、庫内の両側面）に複数設けられる場合がある。図４に例示されるように、レール１３ａの反対側面にレール１３ｂが、レバー１４ａの反対側面にレバー１４ｃが、レバー１４ｂの反対側面にレバー１４ｄが、アーム１５ａの反対側面にアーム１５ｃが、アーム１５ｂの反対側面にアーム１５ｄが、それぞれ設けられてよい。
【００３３】
なお、庫内の側面に距離可変機構が設けられてよい。このとき、当該距離可変機構がレール１３、レバー１４、アーム１５など、ケース１１の開口部１７とカバー１２との距離を伸縮させる部材を含むことができる。また、冷蔵庫１０は、カバー１２、レール１３、レバー１４、およびアーム１５を、庫内に備えることができる。
【００３４】
（ケース１１にカバー１２が接触する仕組み）
図５は、レバー１４ａおよびアーム１５ａの要部の一例を拡大した概略斜視図であり、図５の（ａ）は、ケース１１が出庫した状態を示し、図５の（ｂ）は、ケース１１が入庫した状態を示す。
【００３５】
図５に例示されるように、レバー１４ａが回転可能となるように、当該レバー１４ａとアーム１５ａとが互いに嵌め合っている。ユーザがケース１１を入庫したとき、スライダー１９ａに設けられた突起１８ａがレバー１４ａに当たり、当該レバー１４ａが回転する（図５の（ａ）から（ｂ）へ変化）。逆に、ユーザがケース１１を出庫したとき、突起１８ａがレバー１４ａから離れ、当該レバー１４ａが逆回転する（図５の（ｂ）から（ａ）へ変化）。
【００３６】
前述したように、ケース１１の入出庫に連動してレバー１４ａが回転し、当該レバー１４ａの回転に応じてアーム１５ａが上下動する。そして、アーム１５ａが上下動すると、当該アーム１５ａと嵌め合ったカバー１２が開閉する。すなわち、ユーザによるケース１１の入出庫に連動してカバー１２が開閉する。したがって、冷蔵庫１０は、ケース１１にカバー１２を開閉させる手間をユーザに負担させることを不要にできる。
【００３７】
図６は、庫内におけるレバー１４、アーム１５、およびスライダー１９の動作の一例を示す概略構成図である。図６の（ａ）は、ケース１１を出庫させた状態を示し、図６の（ｂ）は、ケース１１を入庫させた状態を示す。
【００３８】
図６に例示されるように、突起１８ｂは、突起１８ａよりスライダー１９ａの上辺から高く突出している。言い換えれば、突起１８ｂの上端部は、突起１８ａの上端部より高い位置にある。逆に、レバー１４ａの下端部は、レバー１４ｂの下端部より低い位置にある。
【００３９】
そのため、図６の（ｂ）に例示されるように、ケース１１を入庫したとき、レバー１４ａに突起１８ａが、レバー１４ｂに突起１８ｂがそれぞれ当たる。一方で、図６の（ａ）に例示されるように、突起１８ａの上端部とレバー１４ｂの下端部とに高低差があるため、ケース１１が出庫されたとき両者は当たらない。
【００４０】
また、例えば、ケース１１の出庫時にレバー１４ｂが回転可能な角度は、レバー１４ａが回転可能な角度より大きくてよい（複数のレバーの可動域がそれぞれ異なってよい）。この場合、アーム１５ｂが上下動する幅は、アーム１５ａが上下動する幅よりも大きくなる。
【００４１】
これにより、ケース１１の出庫と連動してカバー１２が開くとき、カバー１２と開口部１７との距離が、当該カバー１２の前側ほど大きくなるように両者が離れていく。すなわち、ケース１１が出庫されたとき、カバー１２の前側が奥側よりも大きく持ち上げられ、開口部１７の前側が奥側よりも大きく露出する。したがって、冷蔵庫１０は、ユーザが貯蔵物を出し入れすることを容易にすることができる。
【００４２】
また、ユーザはケース１１の前方を把持して入出庫するため、ケース１１の前方は後方に比べて上下方向の応力を受けやすい。そこで、前述のようにレバー１４の可動域を異ならせ、ケース１１とカバー１２との距離を後方よりも前方で大きく離せば、冷蔵庫１０は、ケース１１の出庫時に、ユーザに引っかかりを感じさせることなく、円滑にケース１１を出庫させることができる。また、冷蔵庫１０は、ケース１１の後方では、ケース１１とカバー１２との距離の変動を抑えることができるため、ユーザがケース１１を入出庫するときの負荷を軽減できる。
【００４３】
（冷蔵庫１０の効果）
冷蔵庫１０は、ケース入庫時の空気の流入出を抑制できる。これにより、冷蔵庫１０は、当該ケースに収納した貯蔵物の鮮度を保つことができる。
【００４４】
〔実施形態２〕
図７〜図１１に基づいて、本開示の第２の実施形態に係る冷蔵庫２０を説明する。なお、下記において、他の実施形態と重複する説明は省略する。
【００４５】
（庫内の構成）
図７は、庫内の構成の一例を示す概略斜視図である。図７の（ａ）は、ケース２１が出庫した状態を示し、図７の（ｂ）は、ケース２１が入庫する途中の状態を示し、図７の（ｃ）は、ケース２１が入庫した状態を示す。
【００４６】
図７に例示されるように、冷蔵庫２０は、ケース２１、カバー２２、レール２３、ギア２４、およびアーム２５を含む。また、冷蔵庫２０は、例えば、フレームＦ、およびパッキン２６をさらに備えてよい。
【００４７】
ケース２１は、冷蔵庫２０から入出庫自在な容器である。ケース２１は、貯蔵物を出し入れ可能とする開口部２７と、レール２３と接したままスライドすることによって当該ケース２１を入出庫可能とするスライダー２９とを有している。なお、図７に例示されるように、スライダー２９はケース２１の両側面にそれぞれ複数設けられてよい（スライダー２９ａおよびスライダー２９ｂ）。
【００４８】
カバー２２は、ケース２１の開口部２７を塞ぐ蓋である。カバー２２は、ケース２１の入庫にしたがって当該ケース２１との距離が縮まり、当該ケース２１が庫内に収まった状態で当該ケース２１と接触する。逆に、カバー２２は、ケース２１の出庫にしたがって当該ケース２１から離れる。
【００４９】
レール２３は、ケース２１をスライド可能に支持する部材である。図７に例示されるように、レール２３はフレームＦに複数設けられてよい（レール２３ａおよびレール２３ｂ）。また、レール２３ａには、ギア２４ｃが回転したときに突起２８ａを通過させるための回転孔Ａが設けられてよく、レール２３ｂには、ギア２４ｄが回転したときに突起２８ｂを通過させるための回転孔Ｂが設けられてよい（図１０を参照して後述される）。
【００５０】
ギア２４は、アーム２５と噛み合う回転部材である。本実施形態においては、図７に例示されるように、ギア２４ａおよびギア２４ｂが、アーム２５ａおよびアーム２５ｂとそれぞれ噛み合っている（図９を参照して後述される）。ギア２４は、フレームＦに回転自在に支持された状態で、ケース２１の入庫と連動して回転し、出庫と連動して逆回転する。
【００５１】
具体的には、ギア２４ａおよびギア２４ｂが、ギア２４ｃおよびギア２４ｄとそれぞれ噛み合っている。そのため、ギア２４ｃおよびギア２４ｄがケース２１の入庫に応じて時計回りに回転すると、ギア２４ａおよび２４ｂが反時計回りにそれぞれ回転する。逆に、ギア２４ｃおよびギア２４ｄがケース２１の出庫に応じて反時計回りに回転すると、ギア２４ａおよび２４ｂが時計回りに回転する。
【００５２】
なお、ギア２４ｃおよびギア２４ｄが反時計回りに回転する力を強めるために、例えば、ギア２４ｃおよびギア２４ｄが支持される軸にバネ（例えば、ねじりコイルばね）のような弾性体が設けられてよい。
【００５３】
また、ギア２４は、複数の突起２８が設けられてよい。例えば、ギア２４ｃには、突起２８ａおよび突起２８ｃが設けられており、ギア２４ｄには、突起２８ｂおよび突起２８ｄが設けられている。なお、ケース２１の入出庫とギア２４の回転が連動する仕組みは、図８を参照して後述される。
【００５４】
アーム２５は、ギア２４の回転に応じてカバー２２を動かす。前述したとおり、ギア２４ａおよびギア２４ｂが、アーム２５ａおよびアーム２５ｂとそれぞれ噛み合っている。そのため、ケース２１の入出庫に応じてギア２４ａおよびギア２４ｂがそれぞれ回転すると、アーム２５ａおよびアーム２５ｂがそれぞれ上下動する。
【００５５】
アーム２５の一端はカバー２２の縁と嵌め合っているため、アーム２５が上下動すると、カバー２２も上下動する。これにより、冷蔵庫２０は、ケース２１の入出庫に連動してカバー２２を開閉させることができる。したがって、冷蔵庫２０は、ケース２１にカバー２２を取り外しする手間をユーザに負担させることなく、ケース２１の内部に空気が流入出することを抑制できる。
【００５６】
フレームＦは、レール２３、ギア２４、アーム２５など、ケース２１の開口部２７とカバー２２との距離を伸縮させる部材を含む距離可変機構である。また、フレームＦには、ギア２４ｃの回転止めＰと、ギア２４ｄの回転止めＱと、アーム２５ａの上下孔Ｍおよび支持材Ｋと、アーム２５ｂの上下孔Ｎおよび支持材Ｌとが設けられてよい（図８を参照）。フレームＦは、例えば、庫内の片側面・両側面に設けられてよい。
【００５７】
パッキン２６は、開口部２７にカバー２２が接触したとき、ケース２１の気密性を高める弾性材である。
【００５８】
なお、例えば、冷蔵庫２０は、一端がカバー２２と接続され、他端がフレームＦと接続されたバネ（弾性体）をさらに備えてよい。この場合、ケース２１が庫内に収まった状態で、カバー２２と当該ケース２１の開口部２７とが互いに離れる方向に、当該カバー２２と当該ケース２１との少なくとも一方に力（バネによる弾性力）が作用している。これにより、冷蔵庫２０は、ユーザがケース２１を引き出すときに、カバー２２がケース２１に接触する状態を素早く解除できる。したがって、冷蔵庫２０は、ケース２１の出庫時に、ユーザに引っかかりを感じさせることなく、円滑にケース２１を出庫させられる。
【００５９】
（ケース２１にカバー２２が接触する仕組み）
図８は、庫内におけるケース２１、カバー２２、およびフレームＦの動作の一例を示す概略構成図である。図８の（ａ）は、ケース２１が出庫した状態を示し、図８の（ｂ）は、ケース２１が入庫する途中の状態を示し、図８の（ｃ）は、ケース２１が入庫した状態を示す。
【００６０】
図８の（ａ）に例示されるように、ケース２１が出庫した状態では、スライダー２９ａおよびスライダー２９ｂの先端が、突起２８ａおよび突起２８ｂに当たっていない。また、突起２８ｃおよび突起２８ｄが、回転止めＰおよび回転止めＱにそれぞれ当たっているため、ギア２４ｃおよびギア２４ｄは、突起２８ａおよび突起２８ｂを回転孔Ａおよび回転孔Ｂからそれぞれ突出させた状態で静止している（以下ではこの状態を「初期状態」と称する）。
【００６１】
図８の（ｂ）に例示されるように、ケース２１が入庫する過程で、スライダー２９ａおよびスライダー２９ｂがレール２３ａおよびレール２３ｂをスライドすると、スライダー２９ａおよびスライダー２９ｂの先端が、突起２８ａおよび突起２８ｂにそれぞれ当たる。この状態からスライダー２９ａおよびスライダー２９ｂがさらに奥側にスライドすると、当該先端によって突起２８ａおよび突起２８ｂが奥側に押し込まれ、ギア２４ｃおよびギア２４ｄがそれぞれ時計回りに回転する。そして、当該回転によってギア２４ａおよびギア２４ｂが反時計回りに回転し、これらと噛み合うアーム２５ａおよびアーム２５ｂがそれぞれ下降する。
【００６２】
図８の（ｃ）に例示されるように、ケース２１が入庫すると、スライダー２９ａおよびスライダー２９ｂが突起２８ａおよび突起２８ｂを押し切り、ギア２４ｃおよびギア２４ｄの回転が止まる。このとき、アーム２５ａおよびアーム２５ｂがそれぞれ下がりきり、カバー２２がケース２１と接触する。
【００６３】
図８の（ａ）〜（ｃ）に例示されるように、ユーザがケース２１を入庫したとき、カバー２２は、当該入庫に連動してケース２１を覆うように接触する。これにより、冷蔵庫２０は、ケース２１にカバー２２を被せる手間をユーザに負担させることなく、ケース２１の内部に空気が流入出することを抑制できる。
【００６４】
図９は、ギアとアームとの関係を示す概略図であり、図９の（ａ）は、ギア２４ａ、ギア２４ｃ、およびアーム２５ａの関係を示し、図９の（ｂ）は、ギア２４ｂ、ギア２４ｄ、およびアーム２５ｂの関係を示す。
【００６５】
図９の（ａ）に例示されるように、ギア２４ａは、２段ギアであってよい。すなわち、ギア２４ａには、例えば、その外側と内側とに歯数の異なるギアが２つ設けられており（以下では、それぞれ「外側ギア」「内側ギア」と称する）、２つのギアは同じ速度・方向で回転する。そして、ギア２４ｃと外側ギアとが噛み合っており、内側ギアとアーム２５ａとが噛み合っている。一方で、図９の（ｂ）に例示されるように、同じ直径および歯数を有するギア２４ｂとギア２４ｄとが噛み合っており、ギア２４ｂとアーム２５ｂとが噛み合っている。
【００６６】
図９の（ａ）および（ｂ）に例示されるように、内側ギアの歯数は他のギアの歯数より多いため、当該内側ギアと噛み合うアーム２５ａが有する歯数も、アーム２５ｂが有する歯数より多い。そのため、ギア２４ａおよびギア２４ｂがそれぞれ回転したとき、アーム２５ａよりアーム２５ｂの方が大きく動く。
【００６７】
すなわち、ケース２１が出庫されたとき、当該出庫に応じて、カバー２２と開口部２７との距離が、当該カバー２２の前側ほど大きくなるように両者が離れていく。言い換えれば、カバー２２の前側が奥側よりも大きく持ち上げられ、開口部２７の前側が奥側よりも大きく露出する。したがって、冷蔵庫２０は、ユーザが貯蔵物を出し入れすることを容易にすることができる。なお、ギア２４ｄの直径がギア２４ｃの直径より大きい場合であっても、冷蔵庫２０は、上記効果と同様の効果を奏する。
【００６８】
図１０は、フレームＦに含まれる各部材の要部の一例を拡大した概略斜視図である。図１０の（ａ）は、ケース２１が出庫した状態を示し、図１０の（ｂ）は、ケース２１が入庫する途中の状態を示す。
【００６９】
図１０の（ａ）に例示されるように、ギア２４ｂ、ギア２４ｄ、アーム２５ｂなどの可動部材は、初期状態において静止している。
【００７０】
図１０の（ｂ）に例示されるように、ケース２１が入庫することにより、スライダー２９ｂの先端が突起２８ｂに当たる。このため、ギア２４ｄが時計回りに回転し、当該ギア２４ｄと噛み合うギア２４ｂが反時計回りに回転する。これにより、ギア２４ｂと噛み合うアーム２５ｂが下降し、カバー２２も下降するため、ケース２１とカバー２２との距離が縮まる。
【００７１】
図１１は、ケース２１およびカバー２２の断面図である。図１１の（ａ）は、ケース２１が出庫した状態を示し、図１１の（ｂ）は、ケース２１が入庫する途中の状態を示し、図１１の（ｃ）は、ケース２１が入庫した状態を示す。なお、図１１の（ａ）〜（ｃ）のいずれも、図の左側が冷蔵庫２０の前側に相当する。
【００７２】
図１１の（ａ）〜（ｃ）に例示されるように、カバー２２の周縁にわたってパッキン２６が設けられている。そして、ケース２１にカバー２２が接触すると、開口部２７の外周にわたってパッキン２６が略吸着する。これにより、冷蔵庫２０は、カバー２２がケース２１を覆ったときの気密性を高めることができる。
【００７３】
（冷蔵庫２０の効果）
冷蔵庫２０は、ケース入庫時の空気の流入出を抑制できる。これにより、冷蔵庫２０は、当該ケースに収納した貯蔵物の鮮度を保つことができる。
【００７４】
〔実施形態３〕
図１２に基づいて、本開示の第３の実施形態に係る冷蔵庫３０を説明する。なお、下記において、他の実施形態と重複する説明は省略する。
【００７５】
（庫内の構成）
図１２は、庫内の構成の一例を示す概略構成図である。図１２の（ａ）は、ケース３１が出庫した状態を示し、図１２の（ｂ）は、ケース３１が入庫した状態を示す。
【００７６】
図１２に例示されるように、冷蔵庫３０は、ケース３１、カバー３２、およびレール３３を備える。また、冷蔵庫３０は、例えば、パッキン３６をさらに備えてよい。
【００７７】
ケース３１は、冷蔵庫３０から入出庫自在な容器である。ケース３１は、貯蔵物（例えば、野菜などの生鮮食品）を出し入れ可能とする開口部３７と、レール３３と接したままスライドすることによって当該ケース３１を入出庫可能とするスライダー３９と、ケース３１を出し入れ容易にする車輪３４とを有する。
【００７８】
カバー３２は、ケース３１の開口部３７を塞ぐ蓋である。カバー３２は、ケース３１の入庫にしたがって当該ケース３１との距離が縮まり、当該ケース３１が庫内に収まった状態で当該ケース３１と接触する。これにより、冷蔵庫３０は、ケース３１にカバー３２を被せる手間をユーザに負担させることなく、ケース３１の内部に空気が流入出することを抑制できる。このとき、カバー３２は、ケース３１の開口部３７の外周にわたって接触してよい。これにより、冷蔵庫３０は、カバー３２がケース３１を覆ったときの気密性を高めることができる。なお、カバー３２は、庫内の上面として構成される。
【００７９】
レール３３は、ケース３１をスライド可能に支持する部材である。図１２に例示されるように、レール３３は庫内の側面に複数設けられてよい（レール３３ａおよびレール３３ｂ）。また、レール３３は、庫内の両側面にそれぞれ１つ以上設けられてよい。
【００８０】
なお、図１２に例示されるように、レール３３ｂおよびスライダー３９ｂには、鉤状の突起がそれぞれ設けられている。これにより、冷蔵庫３０は、ケース３１の脱落を防止することができる。
【００８１】
パッキン３６は、開口部３７にカバー３２が接触したとき、ケース３１の気密性を高める弾性材である。
【００８２】
（ケース３１にカバー３２が接触する仕組み）
図１２に例示されるように、レール３３ａおよびレール３３ｂは、傾斜（傾斜部）をそれぞれ有している。そして、カバー３２は、ケース３１がレール３３ａおよびレール３３ｂに沿って当該傾斜を移動することによって、開口部３７とカバー３２との距離が縮まり、当該ケース３１と接触する。
【００８３】
すなわち、ケース３１が入庫し始めると、スライダー３９ｂがレール３３ｂをスライドする。ケース３１がある程度まで入庫すると、スライダー３９ａがレール３３ａをさらにスライドし始める。そして、スライダー３９ａおよびスライダー３９ｂが、レール３３ａおよびレール３３ｂに設けられた傾斜をそれぞれ上り、ケース３１が持ち上げられる。ケース３１が奥まで入庫すると、ケース３１とカバー３２とが接触し、カバー３２が開口部３７を塞ぐ。
【００８４】
なお、冷蔵庫３０がパッキン３６を備える場合、冷蔵庫３０は、ケース３１の開口部３７にカバー３２をよりしっかりと接触させることができるため、ケース３１の内部に空気が流入出することをさらに抑制できる。
【００８５】
逆に、ケース３１が出庫するとき、スライダー３９ａおよびスライダー３９ｂが、上記傾斜を下り、ケース３１がカバー３２から離れていく。このとき、ケース３１の出庫と連動してカバー３２が離れていくとき、カバー３２と開口部３７との距離が、当該カバー３２の前側が後側よりも先に離れ始めることにより、当該カバー３２の前側ほど大きくなるように両者が離れていく。すなわち、ケース３１が出庫されたとき、開口部３７の前側が奥側よりも大きく露出する。したがって、冷蔵庫３０は、ユーザが貯蔵物を出し入れすることを容易にすることができる。
【００８６】
また、ケース３１が庫内に収まった状態で、カバー３２と当該ケース３１の開口部３７とが互いに離れる方向に、当該カバー３２と当該ケース３１との少なくとも一方に力（ケース３１の自重）が作用している。これにより、冷蔵庫３０は、ユーザがケース３１を引き出すときに、カバー３２がケース３１に接触する状態を素早く解除できる。したがって、冷蔵庫３０は、ケース３１の出庫時に、ユーザに引っかかりを感じさせることなく、円滑にケース３１を出庫させられる。
【００８７】
（冷蔵庫３０の効果）
冷蔵庫３０は、ケース入庫時の空気の流入出を抑制できる。これにより、冷蔵庫３０は、当該ケースに収納した貯蔵物の鮮度を保つことができる。
【００８８】
〔実施形態４〕
図１３に基づいて、本開示の第４の実施形態に係る冷蔵庫４０を説明する。なお、下記において、他の実施形態と重複する説明は省略する。
【００８９】
図１３は、庫内の構成の一例を示す断面図である。図１３の（ａ）は、ケース４１が出庫した状態を示し、図１３の（ｂ）は、ケース４１が入庫した状態を示し、図１３の（ｃ）は、図１３の（ｂ）に示される断面とは異なる断面（ケース４１を上から俯瞰した断面）を示す。
【００９０】
図１３に例示されるように、冷蔵庫４０は、ケース４１、カバー４２、バネ４４、回転アーム４５、および回転軸４６を備える。
【００９１】
ケース４１は、冷蔵庫４０から入出庫自在な容器である。ケース４１は、貯蔵物を出し入れ可能とする開口部４７と、ケース４１の入庫時に回転アーム４５の一端と当たる突起４８とを有している。なお、図１３に例示されるように、突起４８はケース４１に複数設けられてよい（突起４８ａおよび突起４８ｂ）。
【００９２】
カバー４２は、ケース４１の開口部４７を塞ぐ蓋である。カバー４２は、ケース４１の入庫にしたがって当該ケース４１との距離が縮まり、当該ケース４１が庫内に収まった状態で当該ケース４１と接触する。逆に、カバー４２は、ケース４１の出庫にしたがって当該ケース４１から離れる。
【００９３】
より具体的には、カバー４２は、回転アーム４５が回転することによって、当該カバー４２と当該回転アーム４５とのなす角が変化し、当該ケース４１と接触する面積が変化する。これにより、冷蔵庫４０は、ケース４１にカバー４２を被せる手間をユーザに負担させることなく、ケース４１の内部に空気が流入出することを抑制できる。
【００９４】
バネ４４は、ケース４１の入出庫と連動して伸縮する弾性体である。バネ４４の一端は庫内の奥に固定され、他端は回転アーム４５に接続されている。
【００９５】
回転アーム４５は、カバー４２と接続され、ケース４１の入庫と連動して回転する部材である。すなわち、ケース４１が入庫すると、当該ケース４１に設けられた突起４８が回転アーム４５の一端を押すため、当該回転アーム４５は回転軸４６の周りを回転する。これにより、カバー４２と当該回転アーム４５とのなす角が変化し、当該ケース４１と接触する面積が変化する。
【００９６】
回転軸４６は、庫内の側面に固定され、回転アーム４５を支える軸である。
【００９７】
図１３の（ｃ）に例示されるように、バネ４４、回転アーム４５、回転軸４６、および突起４８は、それぞれ複数設けられてよい。
【００９８】
（冷蔵庫４０の効果）
冷蔵庫４０は、ケース入庫時の空気の流入出を抑制できる。これにより、冷蔵庫４０は、当該ケースに収納した貯蔵物の鮮度を保つことができる。
【００９９】
〔付記事項〕
本開示の第１の態様に係る冷蔵庫は、庫内に入庫可能なケースの開口部を塞ぐ蓋部を当該庫内に備え、前記蓋部は、前記ケースの入庫にしたがって当該ケースとの距離が縮まり、当該ケースが前記庫内に収まった状態で当該ケースと接触する。
【０１００】
本開示の第２の態様に係る冷蔵庫は、上記第１の態様において、前記ケースが前記庫内に収まった状態で、前記蓋部と当該ケースの開口部とが互いに離れる方向に、当該蓋部と当該ケースとの少なくとも一方に力が作用している。
【０１０１】
本開示の第３の態様に係る冷蔵庫は、上記第１の態様または第２の態様において、前記ケースの入庫と連動して回転する回転部材と、前記蓋部と前記回転部材とを接続し、当該回転部材の回転に応じて当該蓋部を動かすアームとを前記庫内にさらに備え、前記蓋部は、前記アームが当該蓋部を動かすことによって前記距離が縮められ、前記ケースと接触する。
【０１０２】
本開示の第４の態様に係る冷蔵庫は、上記第３の態様において、前記ケースは、当該ケースの入庫時に前記回転部材と当たる突起を有し、前記回転部材は、前記突起と当たることによって回転する。
【０１０３】
本開示の第５の態様に係る冷蔵庫は、上記第３の態様において、前記回転部材は、前記アームと噛み合うギアであり、前記アームは、前記ギアの回転に応じて前記蓋部を動かす。
【０１０４】
本開示の第６の態様に係る冷蔵庫は、上記第１の態様から第５の態様のいずれかの態様において、傾斜部を有するレールを前記庫内にさらに備え、前記蓋部は、前記ケースが前記レールに沿って前記傾斜部を移動することによって前記距離が縮まり、当該ケースと接触する。
【０１０５】
本開示の第７の態様に係る冷蔵庫は、上記第１の態様から第６の態様のいずれかの態様において、前記蓋部と接続され、前記ケースの入庫と連動して回転する回転アームを前記庫内にさらに備え、前記蓋部は、前記回転アームが回転することによって、当該蓋部と当該回転アームとのなす角が変化し、当該ケースと接触する面積が変化する。
【０１０６】
本開示は上述した実施の形態に限定されるものではなく、請求項に示した範囲で種々の変更が可能であり、異なる実施の形態にそれぞれ開示された技術的手段を適宜組み合わせて得られる実施の形態についても、本開示の技術的範囲に含まれる。さらに、各実施の形態にそれぞれ開示された技術的手段を組み合わせることにより、新しい技術的特徴を形成できる。
【符号の説明】
【０１０７】
２：冷蔵室、３：製氷室、４：第１冷凍室、５：第２冷凍室、６：野菜室、１０：冷蔵庫、１１：ケース、１２：カバー（蓋部）、１２：カバー、１３：レール、１４：レバー（回転部材）、１５：アーム、１７：開口部、１８：突起、１９：スライダー、２０：冷蔵庫、２１：ケース、２２：カバー（蓋部）、２３：レール、２４：ギア、２５：アーム、２６：パッキン、２７：開口部、２８：突起、２９：スライダー、３０：冷蔵庫、３１：ケース、３２：カバー（蓋部）、３３：レール、３４：車輪、３６：パッキン、３７：開口部、３９：スライダー、４０：冷蔵庫、４１：ケース、４２：カバー（蓋部）、４４：バネ、４５：回転アーム、４６：回転軸、４７：開口部、４８：突起
【図１】
2020201025.tif 000003
【図２】
2020201025.tif 000004
【図３】
2020201025.tif 000005
【図４】
2020201025.tif 000006
【図５】
2020201025.tif 000007
【図６】
2020201025.tif 000008
【図７】
2020201025.tif 000009
【図８】
2020201025.tif 000010
【図９】
2020201025.tif 000011
【図１０】
2020201025.tif 000012
【図１１】
2020201025.tif 000013
【図１２】
2020201025.tif 000014
【図１３】
2020201025.tif 000015